(57)【要約】【課題】  本発明は三次元ベクトル時系列式堆積物捕獲器を提供する。【解決手段】  三次元ベクトル時系列式堆積物捕獲器は、台座を含み、台座上には捕集管が設けられ、捕集管は水流管と沈降管とを含み、水流管は先端に水平な入水口を有し、後端には垂直な下向きの出水口を有し、水流管の内部には入水口に向かって傾斜したフィルターが設けられており、フィルターは水流管に内接しており、沈降管は水流管の下方に垂直に固定され、沈降管の底部は密封されており、頂部は開口を有し、開口は水流管と連通し、フィルターと対向しており、フィルターは水流管内を流れるフィルターの穴径よりも大きい物質を遮り、沈降管内に沈積させる。本発明は、海流の動態に従って海水中の沈降粒子を採取することができ、海底環境の変化に対するモニタリングのレスポンスが機敏で精確である。【選択図】  図１
2019065689.tif 000002
【特許請求の範囲】
【請求項１】
台座を含み、台座上には捕集管が設けられ、前記捕集管は水流管と沈降管とを含み、前記水流管は先端に水平な入水口を有し、後端には垂直な下向きの出水口を有し、前記水流管の内部には前記入水口に向かって傾斜したフィルターが設けられており、前記フィルターは前記水流管に内接しており、前記沈降管は前記水流管の下方に垂直に固定され、前記沈降管の底部は密封されており、頂部は開口を有し、開口は前記水流管と連通し、前記フィルターと対向しており、前記フィルターは前記水流管内を流れるフィルターの穴径よりも大きい物質を遮り、前記沈降管内に沈積させることを特徴とする三次元ベクトル時系列式堆積物捕獲器。
【請求項２】
前記沈降管の開口部にはテーパー型ガイド面が設けられていることを特徴とする請求項１に記載の三次元ベクトル時系列式堆積物捕獲器。
【請求項３】
前記沈降管の外側には保護管が設けられていることを特徴とする請求項２に記載の三次元ベクトル時系列式堆積物捕獲器。
【請求項４】
前記出水口の外側には第２フィルターが設けられていることを特徴とする請求項３に記載の三次元ベクトル時系列式堆積物捕獲器。
【請求項５】
前記台座上には係止リングが設けられていることを特徴とする請求項４に記載の三次元ベクトル時系列式堆積物捕獲器。
【請求項６】
前記台座上にはウェイトブロックが取り外し可能に設けられており、前記ウェイトブロックは台座上に均等に分布していることを特徴とする請求項５に記載の三次元ベクトル時系列式堆積物捕獲器。
【請求項７】
前記台座の下部にはピンが設けられており、前記ピンは前記台座底部に均等に分布していることを特徴とする請求項６に記載の三次元ベクトル時系列式堆積物捕獲器。
【請求項８】
前記入水口の先端はラッパ型ガイド口を有していることを特徴とする請求項７に記載の三次元ベクトル時系列式堆積物捕獲器。
【請求項９】
前記水流管内には海流計、濁度計、高度計が設けられており、前記高度計は前記沈降管の開口に対向していることを特徴とする請求項８に記載の三次元ベクトル時系列式堆積物捕獲器。
【請求項１０】
任意の時刻のベクトルによる堆積物計算方法であって、
（１）濁度計、海流計で採取したデータに基づき水流管内の堆積物含有量を計算するステップであって、
［１］捕集管の入水口の断面積をＳ、沈降管の断面積をＳ’とし、
［２］流速をＶ（ｄ,Ｄ,ｔ）、濁度をＴｕｒ（ｄ,Ｄ,ｔ）とした場合、下記式（１）で各時刻において水流管内を流れた堆積物の総量を計算するステップと、
Ｑ（ｄ,Ｄ,ｉ） = Ｖ（ｄ,Ｄ,ｉ）× Ｓ × Ｔｕｒ（ｄ,Ｄ,ｉ）  （１）
式中、ｄは方向、Ｄは深度、ｉは０〜ｔ内の任意の時刻であり、
（２）水流管を流れた各時刻における堆積物Ｑ（ｄ,Ｄ,ｉ）が全て沈降管に入って累積したと仮定すると、その堆積物が沈降管内で対応する部分はＨｉ‐１からＨｉまでであり、ステップ（１）で得た堆積物の総量によって、沈降管内の堆積物の総量を下記式（２）、式（３）で得るステップと、
2019065689.tif 000007
2019065689.tif 000008
（３）ステップ（１）中の式（１）、ステップ（２）中の式（２）、式（３）に基づき、高度計で採取した沈降管内の堆積物の高度の変化データにより、任意の方向の沈降管内における任意の深度、任意の時刻の堆積物試料を得て、物理化学分析を行うことができるステップと、を含むことを特徴とする堆積物計算方法。
【発明の詳細な説明】
【技術分野】
【０００１】
本発明は、海底沈降物を採取する捕集装置に関し、具体的には時系列・ベクトル式の堆積物捕獲器に関するものである。
【背景技術】
【０００２】
深海の海底沈降物は、海洋生態学の研究や採鉱深化における環境アセスメントに対して非常に重要な意義を有している。深海の沈殿物は、海洋の堆積作用が形成した海底物質であり、大量の地質情報、生物情報を包含しているため、深海の沈殿物の種類や分布、輸送及び動的過程、土質工学的性質、微生物コロニーなどを調査研究することは、深海の鉱物資源に対する環境アセスメントやその後の資源採掘にとって重要な意義を有している。従来において、堆積物は主に船舶用地質ウィンチによってサンプリング装置を降ろし、重力作用下で海底に到達させてからしばらく放置し、その後海面まで回収して採取しているが、全過程をモニタリングすることができず、構造もかさばって重く、通常、大きな時間尺度で十数個の試料しか採取できないため、深海用ビークルを搭載して海底サンプリングを行い、科学者が自らその場で高解像度カメラか又は観察窓からサンプリングエリア及び数量を選択することで試料の採取効率を高めている。しかし、科学者がサンプリングプロットにおいてリアルタイムで選択できず、またリアルタイムで試料を直観的に採取することもできないため、科学研究の中断やデータが不連続になる状況が起こる場合があり、分析にバイアスが生じて、重大なバイアスの場合には研究の意義がなくなり、科学研究への投資が無駄になる可能性があった。
【発明の概要】
【発明が解決しようとする課題】
【０００３】
本発明は、以上のような欠点に鑑み、リアルタイムでモーションキャプチャし、任意の方向で海底の堆積物を採取することが実現可能な捕集装置を提供する事が目的の一つ目であり、また任意の時刻に沈降管内に入った沈降管内の沈降物の対応する精確な位置の算出を可能にする事が目的の二つ目である。最終的に様々な方向、様々な深度での海水中における堆積物含有量の経時的な動的変動過程、及び各時刻での対応する堆積物試料を得ることができる。
【０００４】
本発明の技術案は以下の通りである。
【課題を解決するための手段】
【０００５】
三次元ベクトル時系列式堆積物捕獲器は、台座を含み、台座上には捕集管が設けられ、捕集管は水流管と沈降管とを含み、水流管は先端に水平な入水口を有し、後端には垂直な下向きの出水口を有し、水流管の内部には入水口に向かって傾斜したフィルターが設けられており、フィルターは水流管に内接しており、沈降管は水流管の下方に垂直に固定され、沈降管の底部は密封されており、頂部は開口を有し、開口は水流管と連通し、フィルターと対向しており、フィルターは水流管内を流れるフィルターの穴径よりも大きい物質を遮り、沈降管内に沈積させる。
【０００６】
さらに、沈降管の開口部にはテーパー型ガイド面が設けられている。
【０００７】
さらに、沈降管の開口部の外側には保護管が設けられている。
【０００８】
さらに、出水口の外側には第２フィルターが設けられている。
【０００９】
さらに、台座上には係止リングが設けられている。
【００１０】
さらに、台座上にはウェイトブロック（重し）が取り外し可能に設けられており、ウェイトブロックは台座上に均等に分布している。
【００１１】
さらに、台座の下部にはピンが設けられており、ピンは台座底部に均等に分布している。
【００１２】
さらに、入水口の先端はラッパ型ガイド口を有している。
【００１３】
さらに、水流管内には海流計、濁度計、高度計が設けられており、高度計は沈降管の開口に対向している。
【００１４】
任意の時刻のベクトルによる堆積物の計算方法には、以下のステップが含まれる。
【００１５】
（１）濁度計、海流計で採取したデータに基づき、水流管内の堆積物含有量を計算する。
【００１６】
［１］捕集管の入水口の断面積をＳ、沈降管の断面積をＳ’とする。
【００１７】
［２］流速をＶ（ｄ,Ｄ,ｔ）、濁度をＴｕｒ（ｄ,Ｄ,ｔ）とした場合、下記式（１）で各時刻において水流管内を流れた堆積物の総量を計算する。
【００１８】
Ｑ（ｄ,Ｄ,ｉ） = Ｖ（ｄ,Ｄ,ｉ）× Ｓ × Ｔｕｒ（ｄ,Ｄ,ｉ）  （１）
【００１９】
式中、ｄは方向、Ｄは深度、ｉは０〜ｔ内の任意の時刻である。
【００２０】
（２）水流管を流れた各時刻における堆積物Ｑ（ｄ,Ｄ,ｉ）が全て沈降管に入って累積したと仮定すると、その堆積物が沈降管内で対応する部分はＨｉ‐１からＨｉまでであり、ステップ（１）で得た堆積物の総量によって、沈降管内の堆積物の総量を下記式（２）、式（３）で得る。
【００２１】
2019065689.tif 000003
【００２２】
2019065689.tif 000004
【００２３】
（３）ステップ（１）中の式（１）、ステップ（２）中の式（２）、式（３）に基づき、高度計で採取した沈降管内の堆積物の高度の変化データを結合することにより、任意の方向の沈降管内における任意の深度、任意の時刻の堆積物試料を得て、物理化学分析を行うことができる。
【発明の効果】
【００２４】
本発明は、海流の動態に従って海水中の沈降粒子を採取することができ、海底環境の変化に対するモニタリングのレスポンスが機敏で精確である。また妨害がなく、サンプリング結果がより精確で信頼性がある。また、本発明ではさらにベクトルによる堆積物計算方法を提供し、任意の方向、任意の深度、任意の時刻における水流管内を流れる海水中の堆積物含有量によって、その堆積物のトラップ中における対応する位置を得ることができ、それによりピンポイントで試料を取得して物理化学分析を行うことが実現可能となり、試験・分析に役立つ。
【図面の簡単な説明】
【００２５】
【図１】本発明のトラップの構造概略図１である。
【図２】多方向、多深度レベルの捕集装置の概略図である。
【図３】本発明のトラップの構造概略図２である。
【発明を実施するための形態】
【００２６】
以下、本発明の具体的な実施例を図に基づき、さらに詳細に説明する。
【実施例】
【００２７】
三次元ベクトル時系列式堆積物捕獲器は、台座を含み、台座上には捕集管が設けられ、捕集管は水流管と沈降管とを含み、水流管は先端に水平な入水口を有し、後端には垂直な下向きの出水口を有し、水流管の内部には入水口に向かって傾斜したフィルターが設けられており、フィルターは水流管に内接しており、沈降管は水流管の下方に垂直に固定され、沈降管の底部は密封されており、頂部は開口を有し、開口は水流管と連通し、フィルターと対向しており、フィルターは水流管内を流れるフィルターの穴径よりも大きい物質を遮り、沈降管内に沈積させる。
【００２８】
図１が示すように、三次元ベクトル時系列式堆積物捕獲器は、台座を含み、台座上には捕集管が設けられ、捕集管は水流管と沈降管とを含み、水流管は先端に水平な入水口を有し、後端には垂直な下向きの出水口を有し、水流管の内部には入水口に向かって傾斜したフィルターが設けられており、フィルターは水流管に内接しており、沈降管は水流管の下方に垂直に固定され、沈降管の底部は密封されており、頂部は開口を有し、開口は水流管と連通し、フィルターと対向しており（相対しており）、フィルターは水流管内を流れるフィルターの穴径よりも大きい物質を遮り、沈降管内に沈積させる。
【００２９】
本発明の採取過程は、海水が水流管を流通する際に海水中の粒子がフィルターに阻まれ、沈降管に入って沈降し、沈降管内の沈降物が時間と共に累積していき、沈降管が満杯になる。本発明は、水流通路の入水口は水平で、出水口は地面に向かって垂直になっており、水流の方向が効果的に保証され、これにより沈降管内の沈降物が一つの方向から来ることが保証されるとともに、沈降物が沈降管内に沈降するのをフィルター後方からの水流が妨害することもなく、データ採取の精度が高い。
【００３０】
通常、捕集管の数、入水口の入水方向は、採取しようとするデータに基づいて設定が行われるものであるため、本発明では限定されず、また図２が示すように、様々な深度における海水沈降物のサンプリングについては、一つの方向に高さの異なる捕集管を複数セット設置することができ、同一方向において高さの異なる沈降物試料を複数セット採取して、層の異なる海水中の沈降物組成を分析することは、海底環境や環境変遷の影響の分析に役立つ。
【００３１】
トラップの水流管と沈降管の断面形状は限定されず、同一方向において高さの異なるトラップを複数設置する場合、通常は水流管と沈降管を四角形（図２のように）にして設けることで、配列、位置決め、取り付けをより迅速に行うことができる。
【００３２】
本発明では、トラップと台座との間の接続方法は限定されず、固定接続して、回収する際に台座と一緒に回収してもよい。しかし、場合によっては海底で台座自体が沈降して回収が困難になることがあるため、こういった場合はトラップと台座を取り外し可能な形態にするなど、固定及び分解できることが要であり、どのような接続方法にするかについてはここで限定しない。
【００３３】
ここではトラップと台座を取り外し可能に接続する方法を提供するが、それはトラップの外壁底端に軸孔を横向きに設け、同様に台座上にもそれと同軸の係合軸孔を設けて、固定ピンでトラップを台座上に固定し、回収時に台座が沈降し過ぎて回収が困難な場合は固定ピンを引き抜き、トラップを単独で回収するという方法であり、軸孔と係合軸孔の数はここで限定されず、これにより効果的に固定され、取外して洗うのにも便利である。
【００３４】
本発明では、フィルターのメッシュ数は限定されず、一般的にはより細かいものが好ましく、そうすることで沈降物の種類が比較的豊富になるが、一方で第１フィルターが細かすぎると詰まりやすくなって水流が通過しにくくなるため、実際の海域の濁度やサンプリング分析の必要に応じて相応しい調整を行う。
【００３５】
同様に、第１フィルターとトラップ口の傾斜角度は限定されず、トラップ口は鋭角に形成されるのが好ましく、そうすることで第１フィルターが阻む沈降物を沈降管内に素早く沈降させて得ることが効果的に保証され、採取効率を向上させることができる。
【００３６】
さらに、沈降管の開口部にはテーパー型ガイド面が設けられている。ガイド面を設けることで、堆積物の沈降管内へのスムーズな進入が効果的に保証でき、さらにはガイド面を設けることで、フィルターのサイズを大きくして水流管の断面積を増やすことができ、また水流管と沈降管のサイズ差が大きくなり過ぎることを回避して、構造が不安定になることを防ぐことができる。
【００３７】
さらに、沈降管の外側には保護管が設けられている。トラップの安定性を全体的に向上させており、保護管の直径は自由に増減させてよく、形状を沈降管と同一にするか異ならせるかは限定されない。図１、図３が示すように、水流管と保護管とは一体構造であり、沈降管は保護管の内部にあり、沈降管と水流管との間にガイド面が設けられて接続される。
【００３８】
さらに、出水口の外側には第２フィルターが設けられている。出水口は下向きに垂直であり、水流がフィルターを逆方向に流れることを効果的に阻止でき、同時に第２フィルターによって、水流が水流管に逆方向に進入して沈降管へ進入する可能性を防ぐことができるので、沈降管内の堆積物が入水口方向から来た堆積物であることがより一層保証される。
【００３９】
台座を沈めるため、台座上には係止リングが設けられている。係止リングは台座上に分けて取り付けられる。
【００４０】
台座をスムーズに据え置くため、台座上にはウェイトブロックが取り外し可能に設けられており、ウェイトブロックは台座上に均等に分布している。
【００４１】
ウェイトブロックの重量、形状、数はここで限定されず、実際の使用状況に応じて設定する。それを均等に分布させる位置は、トラップの位置設定が終わってから配分する。
【００４２】
ウェイトブロックの接続方法は、台座に固定する方法でもよく、取り外し可能な方法でもよい。一般的に、海底が軟らかい底質の場合には沈降が生じ易いため、台座とウェイトブロックを取り外し可能な方法で設計し、台座を据え置いてからウェイトブロックを回収することで、ウェイトブロックを増やした後に台座の沈降が加速することを防げる。
【００４３】
要は取り付けと分離であり、ウェイトブロックを取り外し可能にする方法はここで限定されない。図**が示すように、ウェイトブロックと台座の取り付け・分離方法を提供するが、本実施例では、台座上に位置決め柱が垂直に設けられており、位置決め柱の頂端にはピン穴が設けられており、それに対応してウェイトブロックには位置決め柱と嵌合する位置決め柱孔が設けられており、ウェイトブロックを位置決め柱に通し、位置決め柱上のピン穴に長ピンを通して、ウェイトブロックを台座上に固定し、台座を固定位置まで降ろした後に、長ピンを引き抜き、ウェイトブロック上の吊り金具でウェイトブロックと台座を分離し、ウェイトブロックを回収して、次回の試料採取の投入用に使用して資源を節約する。
【００４４】
台座の固定のため、台座の下部にはピンが設けられており、ピンは台座に均等に分布している。
【００４５】
ピンの長さはここで限定されず、実際の海底の状況に応じて相応しい長さに増減する。設置するピンは、伸縮可能な構造でも伸縮不可能な構造でもよく、ここでは限定されない。ピンと台座の接続方法は、溶接、ボルト接続又はロック式でもよく、ここでは限定されない。
【００４６】
例えば、事前探査時に海底の砂や石が多く、沈降が少ない場合には、台座の回収が比較的容易であるため、ピンと台座が取り外し可能な形態を選択することができ、事前探査時に台座が海底に沈降する可能性が高い場合は回収に適さないため、取り外し可能なピンは意味がなく、直接溶接することを考慮して、生産工程での組み立て難度を低減することができる。
【００４７】
入水口の先端はラッパ型ガイド口を有している。ラッパ型ガイド口は、その高度の水流がみな水流管に入り、その後沈降管内に沈降するのを保証することができる。
【００４８】
水流管内には海流計、濁度計、高度計が設けられており、高度計は沈降管の開口に対向している。
【００４９】
海流計、濁度計、高度計を設置することで、沈降管内に入った堆積物量を正確に産出することができ、同時に堆積物の各時刻における沈降管内の位置に対応することができ、試料を分析する上でより便利である。
【００５０】
堆積物の採取の精度をさらに校正するために、沈降管の底部に圧力センサーを設置して、堆積物の校正用として使用することができる。
【００５１】
任意の時刻のベクトルによる堆積物計算方法には、以下のステップが含まれる。
【００５２】
（１）濁度計、海流計で採取したデータに基づき水流管内の堆積物含有量を計算する。
【００５３】
［１］捕集管の入水口の断面積をＳ、沈降管の断面積をＳ’とする。
【００５４】
［２］流速をＶ（ｄ,Ｄ,ｔ）、濁度をＴｕｒ（ｄ,Ｄ,ｔ）とした場合、下記式（１）で各時刻において水流管内を流れた堆積物の総量を計算する。
【００５５】
Ｑ（ｄ,Ｄ,ｉ） = Ｖ（ｄ,Ｄ,ｉ）× Ｓ × Ｔｕｒ（ｄ,Ｄ,ｉ）  （１）
【００５６】
式中、ｄは方向、Ｄは深度、ｉは０〜ｔ内の任意の時刻である。
【００５７】
（２）水流管を流れた各時刻における堆積物Ｑ（ｄ,Ｄ,ｉ）が全て沈降管に入って累積したと仮定すると、その堆積物が沈降管内で対応する部分はＨｉ‐１からＨｉまでであり、ステップ（１）で得た堆積物の総量を結合し、沈降管内の堆積物の総量を下記式（２）、式（３）で得る。
【００５８】
2019065689.tif 000005
【００５９】
2019065689.tif 000006
【００６０】
（３）ステップ（１）中の式（１）、ステップ（２）中の式（２）、式（３）に基づき、高度計で採取した沈降管内の堆積物の高度の変化データを結合することにより、任意の方向の沈降管内における任意の深度、任意の時刻の堆積物試料を得て、物理化学分析を行うことができる。
【００６１】
そのうち、海流計、濁度計、高度計の採取周波数はみな１Ｈｚとするか、又は他の周波数とし、ｄ∈ {ｄＥ，ｄＳ，ｄＷ，ｄＮ，……}、Ｄ∈ {Ｄ１，Ｄ２，Ｄ３,……}、ｔ∈ {０，１，２,……，ｔＮ}とする。
【００６２】
以上述べたことは、本発明の好ましい実施例に過ぎず、本発明のその他の形態を限定するものではなく、当業者が上記で開示した技術内容に基づいて同等の効果が得られる改変又は改造を行い、実施例を他の分野に応用するとしても、すべて本発明の技術案の内容を逸脱することはなく、本発明の技術的要素に基づいて、以上の実施例に対して行う何らかの簡単な修正、同等変化及び改造はいずれも本発明の技術案の保護範囲に属する。
【符号の説明】
【００６３】
１  台座
１１  ウェイトブロック
１２  ピン
１３  ラッパ型ガイド口
１４  海流計
１５  濁度計
１６  高度計
２  捕集管
２１  水流管
２１０  入水口
２１１  出水口
２１２  フィルター
２１３  第２フィルター
２２  沈降管
２２０  テーパー型ガイド面
２２１  保護管
【図１】
2019065689.tif 000009
【図２】
2019065689.tif 000010
【図３】
2019065689.tif 000011
【手続補正書】
【提出日】平成31年1月31日(2019.1.31)
【手続補正１】
【補正対象書類名】特許請求の範囲
【補正対象項目名】全文
【補正方法】変更
【補正の内容】
【特許請求の範囲】
【請求項１】
台座を含み、台座上には捕集管が設けられ、前記捕集管は水流管と沈降管とを含み、前記水流管は先端に水平な入水口を有し、後端には垂直な下向きの出水口を有し、前記水流管の内部には前記入水口に向かって傾斜したフィルターが設けられており、前記フィルターは前記水流管に内接しており、前記沈降管は前記水流管の下方に垂直に固定され、前記沈降管の底部は密封されており、頂部は開口を有し、開口は前記水流管と連通し、前記フィルターと対向しており、前記フィルターは前記水流管内を流れるフィルターの穴径よりも大きい物質を遮り、前記沈降管内に沈積させ、前記水流管内には海流計、濁度計、高度計が設けられており、前記高度計は前記沈降管の開口に対向していることを特徴とする三次元ベクトル時系列式堆積物捕獲器。
【請求項２】
前記沈降管の開口部にはテーパー型ガイド面が設けられていることを特徴とする請求項１に記載の三次元ベクトル時系列式堆積物捕獲器。
【請求項３】
前記沈降管の外側には保護管が設けられていることを特徴とする請求項２に記載の三次元ベクトル時系列式堆積物捕獲器。
【請求項４】
前記出水口の外側には第２フィルターが設けられていることを特徴とする請求項３に記載の三次元ベクトル時系列式堆積物捕獲器。
【請求項５】
前記台座上には係止リングが設けられていることを特徴とする請求項４に記載の三次元ベクトル時系列式堆積物捕獲器。
【請求項６】
前記台座上にはウェイトブロックが取り外し可能に設けられており、前記ウェイトブロックは台座上に均等に分布していることを特徴とする請求項５に記載の三次元ベクトル時系
列式堆積物捕獲器。
【請求項７】
前記台座の下部にはピンが設けられており、前記ピンは前記台座底部に均等に分布していることを特徴とする請求項６に記載の三次元ベクトル時系列式堆積物捕獲器。
【請求項８】
前記入水口の先端はラッパ型ガイド口を有していることを特徴とする請求項７に記載の三次元ベクトル時系列式堆積物捕獲器。
【請求項９】
任意の時刻のベクトルによる堆積物計算方法であって、
（１）濁度計、海流計で採取したデータに基づき水流管内の堆積物含有量を計算するステップであって、
［１］捕集管の入水口の断面積をＳ、沈降管の断面積をＳ’とし、
［２］流速をＶ（ｄ,Ｄ,ｔ）、濁度をＴｕｒ（ｄ,Ｄ,ｔ）とした場合、下記式（１）で各時刻において水流管内を流れた堆積物の総量を計算するステップと、
Ｑ（ｄ,Ｄ,ｉ）= Ｖ（ｄ,Ｄ,ｉ）× Ｓ × Ｔｕｒ（ｄ,Ｄ,ｉ）  （１）
式中、ｄは方向、Ｄは深度、ｉは０〜ｔ内の任意の時刻であり、
（２）水流管を流れた各時刻における堆積物Ｑ（ｄ,Ｄ,ｉ）が全て沈降管に入って累積したと仮定すると、その堆積物が沈降管内で対応する部分はＨｉ‐１からＨｉまでであり、
ステップ（１）で得た堆積物の総量によって、沈降管内の堆積物の総量を下記式（２）、式（３）で得るステップと、
2019065689.tif 000012
（３）ステップ（１）中の式（１）、ステップ（２）中の式（２）、式（３）に基づき、高度計で採取した沈降管内の堆積物の高度の変化データにより、任意の方向の沈降管内における任意の深度、任意の時刻の堆積物試料を得て、物理化学分析を行うことができるステップと、を含み、
請求項１に記載の三次元ベクトル時系列式堆積物捕獲器によって、海底の堆積物を採取することを特徴とする堆積物計算方法。
【外国語明細書】
2019065689000001.pdf